(57)【要約】【課題】室内に充満して浮遊する細菌やウイルスを殺菌すると共に、人体への影響も低下できる室内殺菌装置を提供する。【解決手段】室内殺菌装置１は、筐体２と、室内の壁面であって、人の身長より高い場所の壁面に前記筐体２を取り付けるための取付部と、前記筐体２に設けられ紫外線を照射する光源３と、前記筐体２の少なくとも一面に、前記光源３が照射する紫外線の照射範囲を絞る絞り部材４を備える。【選択図】図４
2018086281.tif 000002
【特許請求の範囲】
【請求項１】
筐体と、
室内の壁面であって、人の身長より高い場所の壁面に前記筐体を取り付けるための取付部と、
前記筐体に設けられ紫外線を照射する光源と、
前記筐体の少なくとも一面に、前記光源が照射する紫外線の照射範囲を絞る絞り部材を備える、室内殺菌装置。
【請求項２】
前記絞り部材は、複数のスリットにより構成される、請求項１記載の室内殺菌装置。
【請求項３】
前記絞り部材は、所定間隔で並ぶ複数の板部材を有し、
前記複数の板部材同士の間隙が、前記スリットを形成する、請求項２記載の室内殺菌装置。
【請求項４】
前記絞り部材は、前記筐体の前記少なくとも一面を含む複数の面にかけて設けられる、請求項１から３のいずれか記載の室内殺菌装置。
【請求項５】
前記絞り部材は、前記筐体の前記少なくとも一面及び当該一面に隣り合う面にかけて設けられる、請求項１から４のいずれか記載の室内殺菌装置。
【請求項６】
前記絞り部材の表面には吸光処理がされている、請求項１から５のいずれか記載の室内殺菌装置。
【請求項７】
前記スリットは、前記光源が照射する紫外線を通す所定の距離を有する経路をなし、当該経路における前記光源側の端部は、前記光源に近接する、請求項２から６のいずれか記載の室内殺菌装置。
【請求項８】
前記複数のスリットにおいて、天井側の前記スリットの間隙は、床側の前記スリットの間隙よりも広い、請求項２から７のいずれか記載の室内殺菌装置。
【請求項９】
前記複数のスリットは、前記光源からの前記紫外線を通す所定の距離を有する経路をなし、床側の前記スリットは、天井側の前記スリットに比較して、前記経路の方向が天井側を向いている、請求項２から８のいずれか記載の室内殺菌装置。
【請求項１０】
前記絞り部材は、貫通孔により構成される、請求項１記載の室内殺菌装置。
【請求項１１】
前記光源は、高さ方向の断面長さが前記光源から前記絞り部材に対する前記紫外線の照射方向の断面長さよりも大きい、請求項１から１０のいずれか記載の室内殺菌装置。
【請求項１２】
前記光源は、所定の幅で長手方向に延びる側面を備えた長手部材を有する蛍光管であって、
前記蛍光管は、前記側面から前記絞り部材に向かって前記紫外線が照射される、請求項１から１１のいずれか記載の室内殺菌装置。
【請求項１３】
前記光源は、長手方向と短手方向と厚みとを有する蛍光管であって、
前記短手方向に沿った幅は前記厚みよりも大きく、
前記長手方向と前記短手方向が形成する面から前記絞り部材に向かって前記紫外線が照射される、請求項１から１１のいずれか記載の室内殺菌装置。
【請求項１４】
前記光源から前記絞り部材に向かう前記紫外線の照射方向に対して前記光源の後側に、紫外線を反射する反射板を更に備える、請求項１から１３のいずれか記載の室内殺菌装置。
【請求項１５】
前記光源は、高さ方向に分離する複数の蛍光管から形成され、前記反射板は、前記複数の蛍光管の間を通るように、反射した紫外線を前記絞り部材側に向けて照射する、請求項１から１４のいずれか記載の室内殺菌装置。
【請求項１６】
前記反射板は、円弧形状を有する、請求項１から１５のいずれか記載の室内殺菌層装置。
【請求項１７】
前記反射板は、前記光源から前記絞り部材に向かう前記紫外線の照射方向に対して前記光源の後側並びに前記光源の天井側および前記光源の床側の少なくとも一部を覆う、請求項１から１６のいずれか記載の室内殺菌装置。
【発明の詳細な説明】
【技術分野】
【０００１】
本発明は、室内の空気に含まれる細菌やウイルスを殺菌できる室内殺菌装置に関する。
【背景技術】
【０００２】
住宅、オフィス、ビル、公共施設、病院、介護施設などの様々な施設においては、様々な人が利用するために、衛生面の対応が重要となる。近年、耐性菌の発生などもあり、細菌やウイルスによる感染症や健康への影響が懸念されている。加えて、近年では、清潔志向の強さによって、多くの人の細菌やウイルスに対する抵抗力が弱まっている傾向がある。
【０００３】
また、これらの施設は、複数の人が出入りしたり、不特定の来訪者が出入りしたりする。このため、これらの複数の人の出入りによって、外部から細菌やウイルスが持ち込まれることも多い。加えて、これらの施設は、複数の部屋に区分されている。このような部屋は、一定の広さに仕切られており、浸入した細菌やウイルスが残留しやすい。これらの残留した細菌やウイルスは、室内にいる人の健康へ影響を与える可能性がある。
【０００４】
あるいは、この細菌やウイルスの影響を受けた人が、保有している細菌などを咳やくしゃみによって吐き出して、更に室内に細菌やウイルスが増えてしまうこともある。
【０００５】
このような施設での病院や介護施設では、病人や老人などのように抵抗力の弱い患者等がおり、衛生面の対応が強く求められる。あるいは、住宅、オフィス、ビル、公共施設などの室内においても、上述のような状況によって、細菌やウイルスに対する衛生面の維持が求められる。特に、近年の衛生志向によって、多くの人が細菌やウイルスに対する耐久性を低下させてしまっている。このような状況では、様々な施設において、細菌やウイルスを軽減することが必要になってきている。
【０００６】
このような施設においては、広い共有空間はもちろんのこと、上述のような仕切られた部屋においての細菌やウイルスの影響を軽減する必要性が高い。特に仕切られた部屋における人の滞在時間は長いので、このような細菌やウイルスが多い室内にいることは、健康への悪影響が懸念される。
【０００７】
このような室内の細菌やウイルスの影響を軽減するために、特殊物質の放出により空中浮遊状態の細菌やウイルスを抑制する空気清浄装置が販売されている。例えば、イオン粒子やナノ粒子といった特殊物質を電気的に放出して、室内を浮遊する細菌やウイルスを軽減することがうたわれている。
【０００８】
しかしながら、このような特殊物質を放出する空気清浄装置は、非特許文献１に開示されるように、ウイルスの一種としてのインフルエンザウイルスを積極的に失活させるような結果はほとんど認められない。
【０００９】
多くの施設において、このような空気清浄装置が使用されているが、上述のような理由で、細菌やウイルスの軽減効果は不十分である。このため、室内における細菌やウイルスの悪影響防止に不十分である問題がある。
【００１０】
このような状況で、紫外線などを用いて細菌やウイルスを殺菌する技術が提案されている（例えば、特許文献１、特許文献２、特許文献３参照）。
【先行技術文献】
【特許文献】
【００１１】
【非特許文献１】日本環境感染学会誌  Ｖｏｌ．２７、Ｎｏ、５、２０１２  「殺菌力を謳う各種空気清浄電気製品の、塗布乾燥状態の細菌に対する効果の有無の検証」
【特許文献１】特開２００５−４６５９２号公報
【特許文献２】特開２００４−２８３５４５号公報
【特許文献３】特開平８−２８０７７９号公報
【発明の概要】
【発明が解決しようとする課題】
【００１２】
特許文献１は、床面を周回的に走行して紫外線を装置下方に向けて照射し、床面を殺菌するロボット掃除機を開示する。いわゆる、市販されているロボット掃除機の集塵機能の代わりに紫外線を装置下方に向けて照射する機能を備えたロボット掃除機である。特許文献１に開示されるロボット掃除機は、床面を周回状に走行しながら紫外線によって床面を殺菌することで、床面に残存しやすい病原菌やウイルスの問題を解決する。
【００１３】
しかしながら、特許文献１に開示されるロボット掃除機は、床面を周回状に走行するだけであり、床面を満遍なく走行することができない。このため、走行できない領域を殺菌できない問題を有している。特に、特許文献１に開示されるロボット掃除機は、ロボット本体から本体直下の床面に向けて紫外線を照射するだけである。この照射範囲も相まって、走行できない領域を殺菌できない。殺菌できない領域が残ることで、床面に残存している病原菌やウイルスの問題は解消しないままである。
【００１４】
特許文献２は、掃除用のブラシで床面を掃除しつつ紫外線を照射して床面を殺菌する掃除機を開示する。特許文献１と同様に紫外線によって、床面を殺菌することを目的としている。
【００１５】
しかしながら、特許文献２の図から明らかな通り、特許文献２に開示される掃除機は、掃除機がブラシによってごみを集塵する集塵位置に対して紫外線を照射するに過ぎない。このため、特許文献１と同様に、特許文献２に開示される掃除機も、掃除を行った底面に対応する床面のみしか殺菌ができない。この結果、床面において殺菌できない領域が残り、残存する病原菌やウイルスの問題が解消しないままである。
【００１６】
特許文献３は、移動可能であって、床面を紫外線で殺菌する技術を開示する。
【００１７】
しかしながら、特許文献３も特許文献１、２と同様に、走行した底面しか殺菌できない問題を有している。
【００１８】
以上のような、特許文献１〜３で示される紫外線を用いた殺菌装置は、主に床面に付着したり残存したりしている細菌やウイルスを殺菌することを目的としている。一方で、施設内部では、在室している人の呼吸や空調機器が生じさせる気流によって、様々な対流が生じている。この対流によって、細菌やウイルスが床面だけでなく、室内の高さ方向においても拡散したり、浮遊したりする状態となってしまう。
【００１９】
このような状況においては、特許文献１〜３に代表される紫外線を用いた殺菌装置では、十分に対応できない問題がある。特に、室内には、様々な人が出入りすることで、外部から細菌やウイルスが持ち込まれる。この持ち込まれた細菌やウイルスは、人体にまとわりついて這い込むので、室内において浮遊する傾向を見せる。
【００２０】
この浮遊する細菌やウイルスは、人体の呼吸器系に侵入しやすく、人体への悪影響も高くなる。
【００２１】
以上のように、従来技術では、室内に充満して浮遊する細菌やウイルスを軽減することが難しい問題があった。
【００２２】
本発明は、上記課題に鑑み、室内に充満して浮遊する細菌やウイルスを殺菌すると共に、人体への影響も低下できる室内殺菌装置を提供することを目的とする。
【課題を解決するための手段】
【００２３】
かかる課題を解決すべく、第１の発明の室内殺菌装置は、筐体と、室内の壁面であって、人の身長より高い場所の壁面に前記筐体を取り付けるための取付部と、前記筐体に設けられ紫外線を照射する光源と、前記筐体の少なくとも一面に、前記光源が照射する紫外線の照射範囲を絞る絞り部材を備える。
【００２４】
前記絞り部材は、複数のスリットにより構成されることが望ましい。
【００２５】
前記絞り部材は、所定間隔で並ぶ複数の板部材を有し、前記複数の板部材同士の間隙が、前記スリットを形成することが望ましい。
【００２６】
前記絞り部材は、前記筐体の前記少なくとも一面を含む複数の面にかけて設けられることが望ましい。
【００２７】
前記絞り部材は、前記筐体の前記少なくとも一面及び当該一面に隣り合う面にかけて設けられることが望ましい。
【００２８】
前記絞り部材の表面には吸光処理がされていることが望ましい。
【００２９】
前記スリットは、前記光源が照射する紫外線を通す所定の距離を有する経路をなし、当該経路における前記光源側の端部は、前記光源に近接することが望ましい。
【００３０】
前記複数のスリットにおいて、天井側の前記スリットの間隙は、床側の前記スリットの間隙よりも広いことが望ましい。
【００３１】
前記複数のスリットは、前記光源からの前記紫外線を通す所定の距離を有する経路をなし、床側の前記スリットは、天井側の前記スリットに比較して、前記経路の方向が天井側を向いていることが望ましい。
【００３２】
前記絞り部材は、貫通孔により構成されることが望ましい。
【００３３】
前記光源は、高さ方向の断面長さが前記光源から前記絞り部材に対する前記紫外線の照射方向の断面長さよりも大きいことが望ましい。
【００３４】
前記光源は、所定の幅で長手方向に延びる側面を備えた長手部材を有する蛍光管であって、前記蛍光管は、前記側面から前記絞り部材に向かって前記紫外線が照射されることが望ましい。
【００３５】
前記光源は、長手方向と短手方向と厚みとを有する蛍光管であって、前記短手方向に沿った幅は前記厚みよりも大きく、前記長手方向と前記短手方向が形成する面から前記絞り部材に向かって前記紫外線が照射されることが望ましい。
【００３６】
前記光源から前記絞り部材に向かう前記紫外線の照射方向に対して前記光源の後側に、紫外線を反射する反射板を更に備えることが望ましい。
【００３７】
前記光源は、高さ方向に分離する複数の蛍光管から形成され、前記反射板は、前記複数の蛍光管の間を通るように、反射した紫外線を前記絞り部材側に向けて照射することが望ましい。
【００３８】
前記反射板は、円弧形状を有することが望ましい。
【００３９】
前記反射板は、前記光源から前記絞り部材に向かう前記紫外線の照射方向に対して前記光源の後側並びに前記光源の天井側および前記光源の床側の少なくとも一部を覆うことが望ましい。
【発明の効果】
【００４０】
本発明の室内殺菌装置は、室内にいる人に紫外線を照射することなく、室内を浮遊する細菌やウイルスに紫外線を照射して殺菌できる。特に、人体への照射を防止するように、室内の天井付近に紫外線を照射することで、対流によって上昇する細菌やウイルスを殺菌する。室内の対流によって天井付近に浮遊してくる細菌やウイルスを殺菌することを繰り返すことで、室内の細菌やウイルスを極めて減少させることができる。
【００４１】
また、室内の天井付近の壁に設置される場合に、紫外線の直進性や直進方向での減衰を生じさせにくいことで、十分な能力で細菌やウイルスを殺菌できる。
【００４２】
更に、室内の平面方向においても、紫外線を十分に拡散できることで、室内の対流で天井付近まで浮遊してくる細菌やウイルスを十分に殺菌できる。これらの殺菌能力の高さの結果、施設内部の室内の衛生環境が十分に保たれ、室内にいる人の健康状態を保つことができる。
【図面の簡単な説明】
【００４３】
【図１】室内殺菌装置が取り付けられた室内の状態を示す模式図である。
【図２】図１を部屋の上方から見た状態を示す説明図である。
【図３】本発明の実施の形態１における室内殺菌装置が取り付けられた部屋の側面図である。
【図４】本発明の実施の形態１における室内殺菌装置の側面図である。
【図５】本発明の実施の形態１における光源の構造を示す説明図である。
【図６】本発明の実施の形態１における光源の正面図である。
【図７】本発明の実施の形態１における絞り部材の側面図である。
【図８】本発明の実施の形態１における室内殺菌装置の側面図である。
【図９】本発明の実施の形態２におけるスリットの側面を示す模式図である。
【図１０】本発明の実施の形態２におけるスリットの方向の違いを示す模式図である。
【図１１】本発明の実施の形態２における室内殺菌装置を上方から見た模式図である。
【図１２】本発明の実施の形態２における蛍光管で分離している光源を有する室内殺菌装置の模式図である。
【図１３】本発明の実施の形態２における反射板を備える室内殺菌装置の側面図である。
【図１４】本発明の実施の形態２における階段状の反射板を有する室内殺菌装置の側面図である。
【発明を実施するための形態】
【００４４】
本発明の第１の発明に係る室内殺菌装置は、部屋の壁に取り付け可能な筐体と、
筐体内部に格納されて紫外線を照射する光源と、
光源の正面に設けられ、照射される紫外線の照射範囲を絞る絞り部材と、を備え、
光源では、高さ方向の断面長さが奥行き方向の断面長さよりも大きく、
絞り部材は、複数のスリットを形成すると共に当該表面を吸光処理しており、
筐体は、部屋の壁の上方であって、人の身長より高い場所に設置される。
【００４５】
この構成により、室内殺菌装置は、人体に影響のない部屋の上方に対して、十分なエネルギーを持った紫外線を照射できる。この照射によって、部屋の上方に舞い上がる細菌等を殺菌できる。
【００４６】
本発明の第２の発明に係る室内殺菌装置では、第１の発明に加えて、光源は、紫外線を発する長手方向と短手方向を有する蛍光管であって、蛍光管は、筐体内部において長手方向が平面方向に沿って格納される。
【００４７】
この構成により、紫外線の発生が容易であり、より広い面積の部位を、スリットに向けることができる。
【００４８】
本発明の第３の発明に係る室内殺菌装置では、第２の発明に加えて、蛍光管は、短手方向に沿った幅とこれと交差する厚みを有しており、幅は厚みよりも大きく、幅が正面方向となるように格納される。
【００４９】
この構成により、光源は、より広い面積を、スリット側に向けることができる。
【００５０】
本発明の第４の発明に係る室内殺菌装置では、第１から第３のいずれかの発明に加えて、スリットは、光源からの紫外線を通す所定の距離を有する経路を形成し、経路は、光源から照射される紫外線を所定範囲に収束させる。
【００５１】
この構成により、室内殺菌装置は、高さ方向において所定範囲に収束させた範囲に紫外線を照射できる。このため、部屋の上方において直進性の高い紫外線を照射できる。
【００５２】
本発明の第５の発明に係る室内殺菌装置では、第４の発明に加えて、光源から照射される紫外線は、経路を通る間に、スリットを形成する絞り部材の壁面での反射を繰り返すことで、スリットの出口において、照射範囲を収束させる。
【００５３】
この構成により、部屋の上方における直進性の高い紫外線を形成できる。
【００５４】
本発明の第６の発明に係る室内殺菌装置では、第１から第５のいずれかの発明に加えて、絞り部材は、所定間隔で並ぶ複数の板部材を有し、複数の板部材同士の間隔が、スリットを形成する。
【００５５】
この構成により、スリットが簡単に形成できる。
【００５６】
本発明の第７の発明に係る室内殺菌装置では、第１から第５のいずれかの発明に加えて、絞り部材は、箱状部材に所定間隔で並ぶ貫通孔が形成され、貫通孔のそれぞれが、スリットを形成する。
【００５７】
この構成により、スリットが簡単に形成できる。
【００５８】
本発明の第８の発明に係る室内殺菌装置では、第１から第７のいずれかの発明に加えて、スリットにおける光源側である入り口は、光源に近接する。
【００５９】
この構成により、光源から照射される光の多くがスリットに入り込む。この結果、スリットの出口から照射される紫外線のエネルギーを高くすることができる。
【００６０】
本発明の第９の発明に係る室内殺菌装置では、第１から第８のいずれかの発明に加えて、複数のスリットにおいて、上方のスリットの間隔は、下方のスリットの間隔よりも広い。
【００６１】
この構成により、部屋の下方にいる人に紫外線を照射する危険性を低減した上で、より高いエネルギーの紫外線を照射することができる。
【００６２】
本発明の第１０の発明に係る室内殺菌装置では、第１から第９のいずれかの発明に加えて、複数のスリットにおいて、上方のスリットに比較して下方のスリットは上向きである。
【００６３】
この構成により、部屋の下方にいる人に紫外線を照射する危険性を低減した上で、より高いエネルギーの紫外線を照射することができる。
【００６４】
本発明の第１１の発明に係る室内殺菌装置では、第１から第１０のいずれかの発明に加えて、複数のスリットは、筐体の前面および側面にかけて設けられ、側面に設けられる複数のスリットは、光源の紫外線を、筐体の平面方向に照射する。
【００６５】
この構成により、側面も含めた平面方向に、紫外線を照射できる。
【００６６】
本発明の第１２の発明に係る室内殺菌装置では、第１から第１１のいずれかの発明に加えて、光源のスリットと逆側である後ろ側に、光源の後方から照射される紫外線を、スリット側に反射させる反射板を更に備える。
【００６７】
この構成により、光源の後方に照射される紫外線も、殺菌のために前方に照射することができる。
【００６８】
本発明の第１３の発明に係る室内殺菌装置では、第１２の発明に加えて、光源は、高さ方向に分離する複数の蛍光管から形成され、反射板は、複数の蛍光管の間から、反射した紫外線をスリット側に照射する。
【００６９】
この構成により、光源の後方に照射される紫外線を前方に照射される紫外線と合せて前方に照射できる。このとき、絞り部材によって、上下方向の角度を絞り込んで照射できる。
【００７０】
本発明の第１４の発明に係る室内殺菌装置では、第１２または第１３の発明に加えて、反射板は、円弧形状を有する。
【００７１】
この構成により、反射板は、前方のスリットに集中させるように、紫外線を反射できる。
【００７２】
本発明の第１５の発明に係る室内殺菌装置では、第１２から第１４のいずれかの発明に加えて、反射板は、光源の後方、光源の上方および光源の下方まで覆う。
【００７３】
この構成により、反射板は、より広い範囲の紫外線を前方に反射できる。
【００７４】
本発明の第１６の発明に係る室内殺菌装置では、第１５の発明に加えて、反射板が、光源の後方、光源の上方および光源の下方まで覆う場合には、複数のスリット同士の間隔は、不均一である。
【００７５】
この構成により、反射板による様々な方向からの反射光を、スリットのいずれかが確実に取り込んで収束させて出力できる。
【００７６】
本発明の第１７の発明に係る室内殺菌装置では、第１２または第１３の発明に加えて、反射板は、階段形状を有する。
【００７７】
この構成により、光源の後方への紫外線を、様々に反射して前方に導入することができる。
【００７８】
以下、図面を参照しながら、本発明の実施の形態を説明する。
【００７９】
（実施の形態）
【００８０】
（発明者による分析）
図１は、室内殺菌装置が取り付けられた室内の状態を示す模式図である。図１は、部屋１００を側面から見た状態を示しており、部屋１００内部を可視状態として示している。部屋１００内部には、人２００が存在している。部屋１００がオフィスであれば、人２００は、従業員であったり来客であったりする。あるいは、部屋１００が公共施設であれば、人２００は、訪問者や職員であったりする。
【００８１】
部屋１００内部には、細菌やウイルス（以下、「細菌等」という）５０が存在している。この細菌等５０は、部屋１００内部で発生する気流によって、空中を浮遊している。この浮遊によって、細菌等５０は、部屋１００内部の様々な場所に充満する。
【００８２】
室内殺菌装置１０は、部屋１００の壁１０３に設置される。室内殺菌装置１０は、後述のように、紫外線を照射する。この紫外線が、細菌等５０を照射することで、細菌等５０を殺菌できる。このとき、図１のように壁１０３に室内殺菌装置１０が設置される場合には、室内殺菌装置１０は、紫外線を壁１０３から対向する壁１０４に向けて照射する。この照射範囲において、細菌等５０を殺菌できる。
【００８３】
（１）人体への照射の回避
部屋１００内部には、人２００が存在していることが多い。上記のように、部屋１００の特性に応じて、従業員、来客、職員、入院患者など様々な種類の人２００が在室している。室内殺菌装置１０は、紫外線を照射することで、細菌等５０を殺菌する。この紫外線は、人２００が長時間浴びることは皮膚トラブルなどを初めとして好ましくないこともある。このため、室内殺菌装置１０は、室内に設置されて紫外線を照射する場合に、部屋１００内部の人２００への紫外線の照射を回避することが必要である。
【００８４】
（２）直進性の必要性
（１）の人体への照射の回避のためには、室内殺菌装置１０は、壁１０３から直進性の高い状態で紫外線を照射する必要がある。すなわち、室内殺菌装置１０は、部屋１００の垂直方向に拡散するように紫外線を照射せず、直進性をもって照射することが必要である。
【００８５】
（３）直進での照射エネルギーの減衰の抑制
図１では、部屋１００の壁１０３に室内殺菌装置１０が設置され、対向する壁１０４に向けて紫外線を照射する。この壁１０３から壁１０４までの間において、紫外線を照射して細菌等５０を殺菌する。このとき、細菌等５０は、壁１０３から壁１０４までの間の様々な場所に存在する。このため、壁１０３から距離がある場所においても、十分なエネルギーの紫外線を照射することが必要である。このため、室内殺菌装置１０から壁１０４に向けて照射される紫外線の照射エネルギーの減衰を抑える必要がある。
【００８６】
（４）平面方向への拡散
図１のように、室内殺菌装置１０は、垂直方向においては拡散しないように直進性を有して紫外線を照射する必要がある。しかしながら、部屋１００においては、平面方向における様々な場所に細菌等５０は存在する。このため、室内殺菌装置１０は、垂直方向には直進性をもって紫外線を照射する必要があるが、平面方向においては拡散性をもって紫外線を照射する必要がある。
【００８７】
図２は、図１を部屋の上方から見た状態を示す説明図である。図２に示されるように、室内殺菌装置１０は、部屋１００においては、平面方向に拡散しながら紫外線を照射する必要がある。図２のように平面方向に紫外線が拡散することで、部屋１００において様々な場所に拡散している細菌等５０を確実に殺菌できるようになるからである。
【００８８】
発明者は、紫外線を用いた室内殺菌装置１０には、上記の（１）〜（４）を実現することが必要であるとの分析結果に至った。
【００８９】
（全体概要）
まず、本発明の実施の形態１における室内殺菌装置の全体概要について説明する。図３は、本発明の実施の形態１における室内殺菌装置が取り付けられた部屋の側面図である。図３では、室内殺菌装置１が、部屋１００の壁１０３の上方に取り付けられている。発明者の分析（１）、（２）で説明したように、室内殺菌装置１は、部屋１００にいる人２００に直接的に紫外線を照射することは好ましくない。
【００９０】
このため、実施の形態１における室内殺菌装置１は、部屋１００の壁１０３の上方に設置される。ここで、上方とは、部屋１００において一般的な人の身長より高い場所である。
【００９１】
室内殺菌装置１は、筐体２、光源３、絞り部材４とを備える。筐体２は、光源３や絞り部材４を格納し、室内殺菌装置１の外形を形成する。このため筐体２は、樹脂、金属、合金、硬質部材など、外形を形成して維持できる素材で形成される。また、筐体２は、必要に応じてユーザーの操作を受けることができるように、必要な操作ボタンや操作パネルなどをその表面に有していることも好適である。
【００９２】
光源３は、筐体２内部に格納される。光源３は、紫外線を照射する。このとき、光源３は、紫外線領域の光を発する蛍光管などの部材であるので、前後左右などの広い範囲に向けて紫外線を照射する。すなわち、光源３のみでは、室内殺菌装置１は、前後左右の広い範囲に渡って紫外線を照射してしまい、発明者の分析（１）〜（４）を実現できない。
【００９３】
絞り部材４は、光源３の正面に設けられる。図４では、光源３であって、筐体２の前方側に絞り部材４が設けられる。絞り部材４は、複数のスリット６を形成する。加えて、絞り部材４であってスリット６を形成する板部分の表面が吸光処理されている。例えば、吸光性の高い塗料が板部分の表面に塗布されていたり、吸光処理が施された板部分を有する部品で絞り部材４が形成されたりすればよい。
【００９４】
図４は、本発明の実施の形態１における室内殺菌装置の側面図である。
【００９５】
また、光源３では、正面方向の断面長さが、奥行き方向の断面長さよりも大きい、図５は、本発明の実施の形態１における光源の構造を示す説明図である。図５にあるように、正面方向の断面長さＡは、奥行き方向の断面長さＢよりも大きい。すなわち、蛍光管などによって構成される光源３は、略垂直方向よりも正面に向けてより多くの面積での紫外線を照射することができる。
【００９６】
このように正面方向に向けての断面長さが大きいことで正面方向に向けてより多くの面積で、光源３は、紫外線を照射できる。この正面方向においては、複数のスリット６が形成されている絞り部材４が設けられる。この絞り部材４において光源３からの紫外線が、スリット６によって照射方向が絞られる。
【００９７】
この絞り込みにより、図４に示されるように、直進性をもった直進紫外線９が照射される。光源３から正面方向（絞り部材４の方向）に照射された紫外線は、スリット６のそれぞれを通過する。スリット６に入る際には、直進状態ではない紫外線も、スリット６に入る際にスリット６に入り込むことのできる紫外線のみが、スリット６の入り口（光源３側）から入る。更に、スリット６内部で反射する紫外線の内、直進性への対応が悪い紫外線は、スリット６を形成する板部材５の吸光処理によって吸収されて、直進性の高い紫外線のみが、スリット６の出口から外に出る。
【００９８】
このようなスリット６での紫外線の通過によって、絞り部材４を出る際には、図４のように直進性の高い紫外線９が照射される。すなわち、正面方向に向けての断面長さ（略垂直方向の断面長さ）が、奥行き方向の断面長さより大きい光源３によって、より広い範囲で正面の絞り部材４に紫外線を照射できる。
【００９９】
これに加えて、絞り部材４のスリット６と吸光処理によって、絞り部材４を出る際の紫外線は、直進性を高めた状態で照射される。
【０１００】
このように、実施の形態１における室内殺菌装置１は、高い直進性に高い照射エネルギーでの紫外線を照射できる。また、室内殺菌装置１は、部屋１００の壁１０３の上方に設置されることもあり、室内殺菌装置１は、人体に照射する心配なく、部屋１００の上方において、壁１０３から対向する壁１０４に向けて、照射エネルギーを減衰させることなく、直進性の高い紫外線を照射できる。
【０１０１】
このような紫外線の照射が、部屋１００の上方において行われることで、部屋１００内部において巻き上げられたり引き揚げられたりして上方に移動する細菌等５０を、確実かつ効率的に殺菌できる。この殺菌によって、部屋１００における衛生環境が維持される。
【０１０２】
次に、各部の詳細等について説明する。
【０１０３】
（光源）
光源３は、紫外線を発する長手方向と短手方向を有する蛍光管であることも好適である。図６は、本発明の実施の形態１における光源の正面図である。光源３は、紫外線を発する部材であれば何でもよいが、図６のような長手方向Ｃと短手方向Ｄとを有する蛍光管であることも好適である。蛍光管であることで、より高いエネルギーの紫外線を発することができるからである。
【０１０４】
また、正面から見た状態での長手方向が筐体２内部において平面方向に沿って格納されることも好適である。このように格納されることで、略垂直方向の断面長さが、奥行き方向の断面長さよりも大きい状態で、光源３が、正面方向にむけてより多くの紫外線を照射できるようになる。
【０１０５】
また、光源３を構成する蛍光管は、短手方向Ｄに沿った幅と短手方向Ｄと交差する厚みを有している。ここで、短手方向Ｄに沿った幅は、厚みよりも大きい。このような構造を有することで、光源３の、略垂直方向での断面長さが奥行き方向での断面長さよりも大きくなる。
【０１０６】
光源３は、蛍光管以外であっても、所望の周波数での紫外線を発することのできる発光素子やこれの集合体でもよい。例えば、ＬＥＤなどの発光素子が羅列された配置を有する構成での光源３であってもよい。
なお、光源３が照射する紫外線の波長の一例としては、２５４ｎｍである。殺菌効果を奏することができれば、これ以外の波長であってもよい。
【０１０７】
（絞り部材）
絞り部材４は、複数のスリット６を形成し、このスリット６によって形成される経路を通過することで、様々な方向に照射される光源３からの紫外線を、直進性のある直進紫外線９に変える。複数のスリット６のそれぞれの間の経路を通過するうちに、照射された紫外線の内、直進方向以外の紫外線が取り除かれる。
【０１０８】
スリット６が形成する経路の入り口は、当然に狭い幅を有している。この狭い幅の入り口には、光源３からの紫外線の内、入り口に向いている紫外線のみが入る。この時点で、スリット６の入り口に合わない紫外線は、直進性がほとんどないとして、はじかれる。
【０１０９】
次いで、スリット６が形成する入り口から出口までの経路を通過する中で、経路に平行な紫外線以外は、スリット６内部の壁面での反射を繰り返す。この反射の繰り返しによって、経路に平行でない紫外線も、やがて経路に平行なものに収束する。加えて、スリット６の経路を形成する壁面の吸光性能によって、経路に平行でない紫外線は、吸収される。これらが相まって、経路の出口においては、経路に略平行な紫外線が中心となって出力する。
【０１１０】
以上のように、スリット６は、光源３からの紫外線を通す所定の距離を有する経路を形成し、この経路が、光源３から照射される紫外線を所定範囲の角度に収束させる。この収束によって、スリット６から出る紫外線は、直進性の高い直進紫外線９となる。
【０１１１】
図７は、本発明の実施の形態１における絞り部材の側面図である。
【０１１２】
絞り部材４は、複数の壁面５を備えている。この複数の壁面５が上下方向に重なる構造によって、絞り部材４は、上下方向に複数のスリット６を備えることができる。この複数のスリット６のそれぞれが、光源３からの紫外線を、直進性のある範囲に収束させる。
【０１１３】
図７における矢印Ｅは、光源３からの紫外線の内、スリット６に略平行な紫外線である。光源３から様々な方向に沿って照射される紫外線の内、スリット６に略平行な紫外線が、スリット６の入り口に入って、スリット６で形成される経路に沿って、スリット６の出口から出る。すなわち、矢印Ｅに対応する紫外線は、スリット６に沿って直進性を有する紫外線として、絞り部材４から照射される。
【０１１４】
一方、スリット６の入り口から入っても、スリット６の経路に対して大きな角度を有する矢印Ｆに対応する紫外線は、スリット６内部の壁面５で反射する。この反射も、大きな反射角度で反射する。壁面５は、吸光性を持っている。大きな反射角度で反射することで、壁面５は、矢印Ｆに対応する紫外線を吸収しやすくなる。この吸収が反射の度に繰り返されることで、矢印Ｆに対応する紫外線は、スリット６の出口から出ない。すなわち、直進方向に比較して、直進方向に対しての交差角度が大きな紫外線は、吸光性のある壁面５により吸光されて、角度をもった紫外線が、絞り部材４から照射されないことが実現される。
【０１１５】
一方で、矢印Ｇに対応する紫外線は、矢印Ｅと矢印Ｆの間の入力角度で、スリット６に入る。このような紫外線は、壁面５で反射を繰り返す間に、直進方向に近い角度にならされる。更には、反射角度も小さいので、吸光性のある壁面５に吸光されてしまうこともない。矢印Ｇに対応する紫外線は、壁面５での反射によって、スリット６に対する角度を小さくしながら、スリット６の出口から出る。この結果、矢印Ｇに対応する紫外線は、スリット６の入り口に入った時よりも、より直進性を持った状態となってスリット６から照射される。
【０１１６】
このようなプロセスを経て、絞り部材４は、光源３から照射される紫外線の直進性を高める。
【０１１７】
絞り部材４は、このように光源３からの紫外線を導入して、その直進性を高めながら通過させ、直進性の高い直進性紫外線９を照射する。この直進性を高めるために、絞り部材４は、複数のスリット６を備える。
【０１１８】
絞り部材４は、所定間隔で並ぶ複数の板部材を有する。この複数の板部材が並んでいることで、板部材同士の間隔がスリット６を形成する。すなわち、上下方向に板部材が間隔を空けて重なることで、それぞれの間隔が、光源３から正面方向へのスリット６を形成できる。
【０１１９】
このように、絞り部材４は、複数の板部材の積層によってスリット６を形成できる。
【０１２０】
あるいは、絞り部材４は、箱状の部材に所定間隔で並ぶ貫通孔が形成された構造を有していてもよい。箱状部材の一方から他方に貫通する貫通孔が形成されると、この貫通孔が並ぶことになる。この並びによって、複数の貫通孔が複数のスリット６を形成できる。貫通孔の断面形状が方形であれば、方形のスリット６が形成される。光源３の形状に合わせた貫通孔が形成されることで、光源３から照射される紫外線がこの貫通孔をスリット６として照射角度を狭める。この結果、絞り部材４から照射される紫外線が、直進性をもった紫外線となる。
【０１２１】
このように、絞り部材４は、貫通孔を形成することで、スリット６を備える構造を有してもよい。
【０１２２】
（光源と絞り部材との関係）
絞り部材４は、上述の通り複数のスリット６を備える。複数のスリット６は、光源３側の入り口６１と出口６２とを備える。図８は、本発明の実施の形態１における室内殺菌装置の側面図である。図８において、スリット６の入り口６１と出口６２とが示されている。
【０１２３】
光源３は、この入り口６１側に設置される。このとき、光源３と入り口６１とが近接することが好ましい。近接することで、スリット６の入り口６１に光源３からの紫外線がより確実に入るようになるからである。
【０１２４】
例えば、光源３と入り口６１とが接する程度に近接していてもよい。このように近接していることで、より多くの光量の紫外線がスリット６内部に入る。この結果、直進性をもつように制御されて出力する紫外線の光量が高くなる。光量が高くなれば、絞り部材４から照射される紫外線のエネルギーが大きくなる。当然に、照射される紫外線のエネルギーの減衰が少なくなる。
【０１２５】
以上のように、実施の形態１における室内殺菌装置１は、部屋の上方において、直進性に優れると共にエネルギー減衰を抑えた紫外線を照射できる。これらの結果、室内の上方に舞い上がる細菌等を確実かつ効率的に殺菌できる。このとき、紫外線を人体に照射することが無く、悪影響を生じさせることも少ない。
【０１２６】
（実施の形態２）
【０１２７】
次に、実施の形態２について説明する。
【０１２８】
実施の形態２では、各要素の更なる工夫や追加される工夫について説明する。
【０１２９】
（複数のスリットの間隔）
複数のスリット６において、上方のスリットの間隔は、下方のスリットの間隔よりも広いことも好適である。図９は、本発明の実施の形態２におけるスリットの側面を示す模式図である。絞り部材４は、光源３の前に配置されて複数のスリット６を形成している。複数のスリット６において、上方に位置する上方スリット６４の間隔は、下方に位置する下方スリット６５の間隔よりも広い。すなわち、複数のスリット６の上下方向においては、上方におけるほどその間隔が広い状態になっている。
【０１３０】
上方スリット６４も下方スリット６５もいずれも光源３からの紫外線を出口から出力する。このとき、上方スリット６４の間隔が下方スリット６５の間隔よりも大きいことで、上方スリット６４の出口から出力される紫外線の方が、そのエネルギー量が大きくなる。上方スリット６４から出力される紫外線は、部屋１００内の人体２００に、下方スリット６５から出力される紫外線よりもあたる可能性が低い。
【０１３１】
この結果、人体２００に当たる可能性の低い上方スリット６４から出力される紫外線のエネルギーが大きくなる。すなわち、人体への影響を低減した上で、全体としてより高いエネルギーを有する紫外線を出力できる。これらの結果、室内殺菌装置１から出力される紫外線のエネルギーの減衰を抑制して、より十分に細菌等５０を殺菌できる。もちろん、上方スリット６４からのエネルギーを大きくしているので、人体２００への照射などの問題を抑制できる。
【０１３２】
（スリットの向き）
図１０は、本発明の実施の形態２におけるスリットの方向の違いを示す模式図である。上方スリット６４に比較して、下方スリット６５は、上向きであることが好適である。
【０１３３】
絞り装置４の備えるスリット６は、既述したように、光源３の紫外線の照射角度を絞り込んで出力する。この絞り部材４の絞り込みによって、紫外線の直進性が高まって出力される。この直進性は、室内殺菌装置１の上下方向における（部屋１００の垂直方向における）広がりを抑えた状態を示す。
【０１３４】
このような上下方向の広がりを抑えるのは、部屋１００にいる人に紫外線を照射しないようにするためである。
【０１３５】
この目的のために、図１０のように、下方スリット６５を上方スリット６４に対して上向きであることで、部屋１００にいる人により近い下方スリット６５からの紫外線が、人に当たりにくくなる。一方で、室内殺菌装置１は、部屋１００の上方に巻き上げられた細菌等５０に紫外線を照射して殺菌するので、殺菌能力を下げることもない。
【０１３６】
このように、下方スリット６５が上方スリット６４に比較して上向きであることも好適である。
【０１３７】
（側面への紫外線の照射）
図１１は、本発明の実施の形態２における室内殺菌装置を上方から見た模式図である。
【０１３８】
絞り部材４が備えるスリット６は、筐体２の前面および側面にかけて設けられる。前面におけるスリット６は、既述したように、上下方向の角度を絞り込んだ紫外線を、正面に照射する。一方、側面におけるスリット６は、筐体２の平面方向（左右方向）に、その上下方向の角度を絞り込んだ上で紫外線を照射する。図１１における筐体２の側面方向の矢印は、筐体２の側面方向への紫外線の照射状態を示している。
【０１３９】
このように、室内殺菌装置１は、正面および側面方向で合って、部屋１００の上下方向においての角度を絞り込んだ状態で紫外線を照射できる。これらの結果、部屋１００の人に照射する問題を生じさせることなく、広い範囲において、部屋１００の上方に紫外線を照射できる。これらの結果、確実に細菌等５０を殺菌できる。
【０１４０】
すなわち、室内殺菌装置１は、部屋１００の上方において、壁面１０３から前方と側面に広がるように紫外線を照射できる。この結果、部屋１００で上方に舞い上がる細菌等５０を、部屋１００の上方の広い範囲で殺菌する。このように、絞り部材４のスリット６が、筐体２の前面と側面の両方に設けられることで、室内殺菌装置１は、部屋１００の上下方向における上方に限った状態で、平面方向に広く紫外線を照射できる。
【０１４１】
言い換えれば、部屋１００の上方においては、紫外線の照射が広がっている状態を、室内殺菌装置１は、実現できる。
【０１４２】
（反射板）
図４に示されるように、光源３のスリット６と逆側である後ろ側に、光源３の後方から照射される紫外線をスリット６側に反射させる反射板７を更に備えることも好適である。
【０１４３】
図４などでは、光源３の後方に、この反射板７が取り付けられている状態が示されている。反射板７は、紫外線を反射する機能を有している。図４などに示されている反射板７は、光源３の後方に取り付けられている。加えて、反射板７は、湾曲形状を有しており、この湾曲形状によって、光源３が後方に発する紫外線を、前方であるスリット６側に反射できる。
【０１４４】
この湾曲形状は、いわゆるパラボラ形状であって、反射した紫外線を所定範囲に集めつつ反射してもよい。あるいはパラボラ形状までの精度はないが、円弧形状を有していることで、反射した紫外線を、スリット６のある前方に反射できればよい。
【０１４５】
また、反射板７は、光源３から後方に向けて照射された紫外線を前方であるスリット６側に反射する。この反射を容易とするために、反射板７の表面は、鏡面処理などの反射特性の高い表面処理がなされていることが好適である。特に、紫外線の周波数に合わせた反射特性を有する表面処理がなされていることが好適である。
【０１４６】
図１２は、本発明の実施の形態２における蛍光管で分離している光源を有する室内殺菌装置の模式図である。図１２に示されるように、光源３は、高さ方向（上下方向）に分離する複数の蛍光管３１から形成されている。上側の蛍光管３１と下側の蛍光管３２とによって光源３が構成されている。上側の蛍光管３１と下側の蛍光管３２とは、高さ方向で分離している。なお、空間的な分離部分があればよく、蛍光管３１と蛍光管３２とが電気的に完全に分離していることが必要ではない。
【０１４７】
光源３が、上側の蛍光管３１と下側の蛍光管３２とに高さ方向で分離した隙間を有している。この隙間を有していることで、反射板７からの反射された紫外線が、この隙間を通ってスリット６に到達できる。図１２の矢印Ｈは、この隙間を通る反射した紫外線を示している。
【０１４８】
反射板７は、光源３が後方に照射する紫外線を反射して、前方であるスリット６側に照射する。光源３は、紫外線を透過させることができる素材であれば、この反射した紫外線をスリット６側に到達させることができる。しかし、光源３内部を透過する紫外線は、減衰してしまうこともある。
【０１４９】
図１２の矢印Ｈのように蛍光管３１と蛍光管３２との間の分離した空間を反射した紫外線が通る場合には、この紫外線が減衰することはない。減衰しない反射した紫外線が、スリット６に到達できることで、スリット６は、光源３から直接届く紫外線に加えて、反射板７で反射された紫外線の双方を合わせて通すことができる。
【０１５０】
最終的には、直接的な紫外線と反射された紫外線とが重複した紫外線が、スリット６で狭められてスリット６の出口から照射される。結果として、よりエネルギーの高い紫外線が、前方に照射される。
【０１５１】
図１３は、本発明の実施の形態２における反射板を備える室内殺菌装置の側面図である。
【０１５２】
図１３は、反射板７が、光源３をより広い範囲でカバーする状態を示している。
【０１５３】
反射板７は、光源３の後方、光源３の上方および光源３の下方まで覆うことも好適である。反射板７が、光源３の広い範囲を覆うように取り付けられることで、光源３の後方、上下方向から照射される紫外線を、幅広く反射してスリット６に集めることができる。
【０１５４】
このように、幅広く反射板７が紫外線を反射してスリット６に集めることができることで、スリット６から出力される最終的な紫外線のエネルギーが高くなるメリットがある。
【０１５５】
また、このように反射板７が光源３の後方から上下方向までを覆う場合には、複数のスリット６同士の間隔が不均一であることも好適である。図１３は、このように、スリット６同士の間隔が不均一である状態を示している。
【０１５６】
反射板７は、上述のように、光源３からの光を広く反射してスリット６に到達させる。このとき、スリット６に到達する反射された紫外線の到達の仕方はさまざまになる。このため、スリット６の間隔が不均一であれば、様々な角度や携帯で到達する紫外線が、確実にスリット６に入り込みやすい。結果として、スリット６は、様々な角度で進入する紫外線を絞り込んで、出力させることができる。
【０１５７】
図１４は、本発明の実施の形態２における階段状の反射板を有する室内殺菌装置の側面図である。
【０１５８】
反射板７は、階段形状を有することも好適である。図１４は、この階段形状の反射板７を示している。反射板７は、既述した通り、光源３の後方や上下方向から照射される紫外線を反射して、スリット６に到達させる。
【０１５９】
ここで、反射板７が階段形状であることで、光源３の様々な場所からの紫外線を、より確実に前方（スリット側）に反射させることができる。また、階段形状であることで、光源３からの紫外線の角度にそれぞれ合わせて、反射させて、スリット６に送り込むことができる。
【０１６０】
以上のように、反射板７が階段形状であることも、光源３の後方などから照射される紫外線を、スリット６に集めて最終的に前方から照射できる点で好適である。
【０１６１】
以上のように、実施の形態２における室内殺菌装置１は、部屋１００の人への照射などの問題を低減しつつも、より高いエネルギーで部屋１００の上方に紫外線を照射できる。結果として、部屋の上方に舞い上がる細菌等５０を、より確実に殺菌できる。特に、部屋１００の上方の様々な場所に舞い上がる細菌等５０であっても、紫外線をより遠くかつ平面方向に広く照射できることで、確実に殺菌できる。
【０１６２】
なお、実施の形態１〜２で説明された室内殺菌装置１は、本発明の趣旨を説明する一例であり、本発明の趣旨を逸脱しない範囲での変形や改造を含む。
【符号の説明】
【０１６３】
１    室内殺菌装置
２    筐体
３    光源
３１、３２    蛍光管
４    絞り部材
５    壁面
６    スリット
７    反射板
８    制御部
１００    部屋
【図１】
2018086281.tif 000003
【図２】
2018086281.tif 000004
【図３】
2018086281.tif 000005
【図４】
2018086281.tif 000006
【図５】
2018086281.tif 000007
【図６】
2018086281.tif 000008
【図７】
2018086281.tif 000009
【図８】
2018086281.tif 000010
【図９】
2018086281.tif 000011
【図１０】
2018086281.tif 000012
【図１１】
2018086281.tif 000013
【図１２】
2018086281.tif 000014
【図１３】
2018086281.tif 000015
【図１４】
2018086281.tif 000016